(57)【要約】【課題】  背面からの照明による意匠色による着色部１１と遮光色による着色部１２のずれ１４における無着色部１３の照明の輪郭のぼやけを解消し、輪郭を明確にして、文字又は記号の視認性を向上した表示装置を提供することを目的とする。【解決手段】  光透過性の材料によって形成された透光シート６に対し、黒等の暗色の着色にて文字又は記号の縁取り着色部１０を形成し、さらに、縁取り着色部１０の寸法の内側に着色範囲の境界を持つように機器内側に意匠色による着色部１１を形成し、さらに、同じ縁取り着色部１０の寸法の内側に着色範囲の境界を持つように機器内側に黒等の暗色の遮光色による着色部１２を形成している。【選択図】  図４
2010153169.tif 000002
【特許請求の範囲】
【請求項１】
光透過性の透光シートと、前記透光シートの背面に位置する光源とを有する表示装置であって、
前記透光シートは、遮光色による文字又は記号の縁取り着色部と、文字又は記号抜き部分の境界が前記縁取り着色部の背面に位置する意匠色による着色部と、前記意匠色による着色部の背面に位置し、文字又は記号抜き部分の境界が前記縁取り着色部の背面に位置する遮光色による着色部を有することを特徴とする表示装置。
【請求項２】
光透過性の操作釦の背面に、請求項１に記載の表示装置を有する電子機器。
【発明の詳細な説明】
【技術分野】
【０００１】
本発明は、文字又は記号を照明させる表示装置、および当該表示装置を有する電子装置に関するものである。
【背景技術】
【０００２】
従来の電子装置において、文字又は記号を照明させる表示装置は、図６に示す操作釦４、透光シート６、ヒンジブロック７、ＬＥＤ８、プリント基板９の順に配置されることによって構成されている。
【０００３】
表示面を構成する操作釦４は、透明の樹脂材料にて形成されている。
【０００４】
透光シート６は、透明な樹脂材料などによるシート材であり、次に説明するヒンジブロック７と接する面において文字または記号を表す形状の無着色部１３の外側に意匠色による着色部１１及び遮光色による着色部１２が印刷されている。なお、本明細書において、意匠色とは、電子装置の外観面を構成し、使用者に対して露出している色を意味し、遮光色とは、内部光源から電子装置の外部に光が透過するのを妨げるための黒等の暗色を意味する。意匠色による着色部１１の背面に遮光色による着色部１２を印刷しているのは、意匠色による着色部１１のみでは遮光性が十分でないためである。
【０００５】
印刷などの着色工程上、意匠色による着色部１１と遮光色による着色部１２の着色範囲を完全に一致させることができないため、意匠色による着色部１１を遮光色による着色部１２に対して適当な寸法だけ広く設定し、意匠色による着色部１１によって遮光色による着色部１２を覆うことによって、遮光色が外観から見えないようにすることが一般的である（特許文献１）。そのため、意匠色による着色部１１と遮光色による着色部１２のずれ１４が存在する。
【０００６】
ヒンジブロック７は、乳白などの光を拡散する着色が施された樹脂材料による成型部品である。
【０００７】
以上の構成により、透光シート６の背面に位置するＬＥＤ８を点灯すると、透光シート６の遮光色による着色部１２により光が遮られ、文字または記号を表す形状の無着色部１３で光が透過して、文字又は記号が表示される。
【特許文献１】特開２００５−２３５４１５号公報
【発明の開示】
【発明が解決しようとする課題】
【０００８】
しかしながら、従来の表示装置において、意匠色に用いている色が白などの淡い色であり遮光性が低い場合、図７に示すように、意匠色による着色部と遮光色による着色部のずれ１４において、無着色部１３の照明の輪郭がぼやけるという問題があった。
【０００９】
そこで、本発明は、背面からの照明による意匠色による着色部と遮光色による着色部のずれ１４における無着色部１３の照明の輪郭のぼやけを解消し、輪郭を明確にして、文字又は記号の視認性を向上した表示装置を提供することを目的とする。
【課題を解決するための手段】
【００１０】
本発明による表示装置は、光透過性の透光シートと、前記透光シートの背面に位置する
光源とを有する表示装置であって、前記透光シートは、遮光色による文字又は記号の縁取り着色部と、前記縁取り着色部の背面に文字又は記号抜き部分の境界が位置する意匠色による着色部と、前記意匠色による着色部の背面に位置し、前記縁取り着色部の背面に文字又は記号抜き部分の境界が位置する遮光色による着色部を有することを特徴としている。
【発明の効果】
【００１１】
この構成により、電子装置内部に配置されたＬＥＤなどの光源により文字又は記号を照明する際、遮光色による文字又は記号の縁取り着色部において、意匠色による着色部及び遮光色による着色部における着色工程上の位置ばらつきを吸収し、意匠色による着色部と遮光色による着色部のずれに起因する輪郭のぼやけを回避し、視認性を向上することができる。
【発明を実施するための最良の形態】
【００１２】
以下、本発明の実施の形態の表示装置について、図面を用いて説明する。
【００１３】
本発明の実施の形態の表示装置を有する電子装置としてのカーナビゲーションを図１に示す。なお、以下の説明において、図１に記載のＸ方向を幅方向、Ｙ方向を奥行き方向、Ｚ方向を高さ方向として説明する。
【００１４】
図１において、カーナビゲーション（電子装置）１は、図示しないＣＤデッキやラジオチューナ、あるいは、それらを電気的に制御するためのＩＣを実装したプリント基板などを内部に収容した筐体２を有し、筐体２の前面部にディスプレイユニット３が配置できるように構成されている。ディスプレイユニット３より奥側の筐体部分は自動車のセンターコンソール内部に組み込まれ、車両に取り付けられた際は、外観上、ディスプレイユニット３が使用者に対して露出されて、車室内のエアコンパネルなど他のパネルと一体感を出すように装着される。
【００１５】
図２は、カーナビゲーション１が車両に取り付けられた際に、使用者に対して露出されるディスプレイユニット３を正面からみた図である。使用者はディスプレイユニット３に設けられた複数の操作釦４（４ａ〜４ｉ）を押下すること、あるいはタッチパネル５を押下することなどの操作を行ってカーナビゲーション１の各機能を操作する。
【００１６】
以上のように構成されたカーナビゲーション１について、図３、図４を用いて操作釦４の表示装置の詳細を説明する。
【００１７】
図３は、カーナビゲーション１の操作釦４の表示装置である。
【００１８】
操作釦４の裏面には、透光シート６、ヒンジブロック７、ＬＥＤ８、プリント基板９の順に配置されている。
【００１９】
操作釦４は、透明な樹脂材料にて形成され、外観に露出して使用者が操作を行う際に手に触れることができる部品である。なお、操作釦４を設けずに、透光シート６を外観に露出して、使用者が操作を行う際に手に触れるようにしてもよい。
【００２０】
透光シート６は、透明な樹脂材料などによるシート材であり、次に説明するヒンジブロック７と接する面において、文字又は記号をあらわす形状が印刷されている。
【００２１】
ヒンジブロック７は、乳白色などの光を拡散する着色が施された樹脂材料による成型部品であり、使用者が操作釦４を押下する場合の操作荷重を調整する機能を有している。
【００２２】
プリント基板９は、前述の操作釦４、透光シート６、ヒンジブロック７を電子機器内部から照明するためのＬＥＤ８を有している。
【００２３】
以上の構成により、日中など周囲が十分に明るい場合は、ＬＥＤ８による照明を行わないことにより、使用者は透明な操作釦４を通して透光シート６上に印刷された文字又は記号を認識することが可能となる。また、夜間など周囲が暗い場合には、ＬＥＤ８による照明を行うことにより、使用者はヒンジブロック７、透光シート６、操作釦４を透過した光によって文字又は記号を認識することが可能となる。
【００２４】
図４は、操作釦４の表示装置の断面図である。
【００２５】
図４において、光透過性の材料によって形成された透光シート６に対し、黒等の暗色の着色にて文字又は記号の縁取り着色部１０を形成し、さらに、縁取り着色部１０の寸法の内側に着色範囲の文字又は記号抜き部分の境界を持つように機器内側に意匠色による着色部１１を形成し、さらに、同じ縁取り着色部１０の寸法の内側に着色範囲の文字又は記号抜き部分の境界を持つように機器内側に黒等の暗色の遮光色による着色部１２を形成している。無着色部１３は、縁取り着色部１０によって囲まれた領域で着色されていない。
【００２６】
これにより、ＬＥＤ８から発せられた光はヒンジブロック７を透過し、透光シート６に到達する。ここで、黒等の暗色の遮光色による着色部１２および文字又は記号の縁取り着色部１０によって光が遮られる。無着色部１３においては、ＬＥＤ８からの光が透光シート６を透過し、さらに操作釦４を透過することにより、カーナビゲーション１の外部に達する。これによって使用者は文字又は記号の縁取り着色部１０を境界として、無着色部１３のみが発光しているように見える効果を得ることができる。すなわち、図５においては無着色部１３のみが発光し、意匠色による着色部１１および文字又は記号の縁取り着色部１０は発光していないように見える効果を得ることができる。
【産業上の利用可能性】
【００２７】
以上のように、本発明にかかる表示装置は、文字又は記号の照明範囲に、遮光色からなる輪郭を有し、輪郭の幅の内側において、遮光性の弱い意匠色および遮光色による文字抜き部分の印刷境界を設定した構成とすることにより、背面に配置されたＬＥＤなどの発光素子により文字又は記号を照明する際、文字又は記号の輪郭部において、着色工程上の位置ばらつきを吸収し、ばらつきに起因する輪郭のぼやけを回避し、視認性を向上するという効果を有し、機器内部からの照明により、文字又は記号部を照明させることによる表示装置等として有用である。
【図面の簡単な説明】
【００２８】
【図１】本発明の電子装置
【図２】本発明のディスプレイユニットの正面図
【図３】本発明の操作部および表示装置の構造図
【図４】本発明の操作釦および表示装置の断面図
【図５】本発明の透光シートの正面図
【図６】従来の操作釦および表示装置の断面図
【図７】従来の透光シートの正面図
【符号の説明】
【００２９】
１  カーナビゲーション
２  筐体
３  ディスプレイ
４  操作釦
５  タッチパネル
６  透光シート
７  ヒンジブロック
８  ＬＥＤ
９  プリント基板
１０  文字又は記号の縁取り着色部
１１  意匠色による着色部
１２  遮光色による着色部
１３  無着色部
１４  意匠色による着色部と遮光色による着色部のずれ
【図１】
2010153169.tif 000003
【図２】
2010153169.tif 000004
【図３】
2010153169.tif 000005
【図４】
2010153169.tif 000006
【図５】
2010153169.tif 000007
【図６】
2010153169.tif 000008
【図７】
2010153169.tif 000009